(57)【要約】【課題】  ジョブが要求する用紙に代えて他の用紙を使用する場合には、データベースに登録されている用紙を設定する。もし未登録の用紙を設定したい場合には、まず用紙の各属性をそれぞれ選択してそれらの組に名称を付与して登録、といった処理を行なった後に、代替設定をすることになり、非常に手間がかかる。【解決手段】  ジョブが使用する用紙の一つを選択する手段と、給紙段の一つを選択する手段と、選択された給紙段が持つ給紙段ＩＤ、用紙のサイズ、メディアタイプを選択された用紙と紐付けて記憶する手段と、元の用紙に替えて、記憶した給紙段、用紙サイズ、メディアタイプを基に給紙し印刷することによる。【選択図】  図６
2011098516.tif 000002
【特許請求の範囲】
【請求項１】
ジョブを溜め置き、使用する用紙を変更できる印刷装置において（１０００）、
ジョブが使用する全用紙情報を表示する手段（Ｓ１２）、
ジョブが使用する用紙の一つを選択する手段（Ｓ１３）、
全ての給紙段に設定されている用紙の情報を表示する手段（Ｓ１６）、
給紙段の一つを選択する手段（Ｓ１７）、
選択された給紙段が持つ給紙段ＩＤ、用紙のサイズ、メディアタイプを選択された用紙と紐付けて記憶する手段（Ｓ２０）、
元の用紙に替えて、記憶した給紙段、用紙サイズ、メディアタイプを基に給紙し印刷する手段（Ｓ３６）
を持つことを特徴とする印刷装置。
【発明の詳細な説明】
【技術分野】
【０００１】
本発明は、ジョブを溜め置き設定変更する印刷装置に関するものである。
【背景技術】
【０００２】
図１のように複数のホストコンピュータからネットワーク経由でジョブが送信され、展開、保存、印刷といった処理を並列に処理可能な印刷装置が知られている。
【０００３】
このような印刷装置の中でも比較的大型の印刷装置には専用のオペレータがついて、用紙を入れ替える、ジョブの順序を入れ替える、といった操作をして印刷効率を高めることがある。一般に、印刷ジョブが処理されている途中に必要な用紙が指定された給紙段にない場合、印刷装置はエラーメッセージを出し、オペレータはそれに従って給紙段に必要な用紙を設定する、もしくは他の給紙段を強制的に指定する、といった処理が必要となる。オペレータは、ずっと印刷装置を見張っているのを避けるために、印刷開始前にジョブが必要としている用紙が給紙段にあるかどうかを見て、あらかじめ給紙段にその紙を設定する、もしくはすでに機器に設定されている用紙に代替設定することができる機器がある。
【０００４】
用紙を代替設定する際には、データベースを用いて用紙の属性情報を設定する方法が知られている（特許文献１）。この方法によれば、用紙サイズ、メディアタイプ、給紙段といった情報を組として名称を付与してデータベースに登録しておき、登録された用紙情報の一覧から用紙情報を選択することで、そのジョブが使用する用紙を代替できる。
【先行技術文献】
【特許文献】
【０００５】
【特許文献１】特開２００７−２４１４２５号公報
【発明の概要】
【発明が解決しようとする課題】
【０００６】
従来技術を用いて用紙代替するには、あらかじめデータベースに用紙情報を登録しておく必要がある。代替しようとした用紙が未登録だった場合、まずその用紙の登録作業を行ない、その後に用紙の代替設定を行なわなければならず、手間がかかるという問題がある。
【０００７】
そこで本発明では、用紙が未登録であっても、容易に用紙を代替設定できる印刷装置を提供することが目的である。
【課題を解決するための手段】
【０００８】
ジョブを溜め置き、使用する用紙を変更できる印刷装置において（１０００）、
ジョブが使用する全用紙情報を表示する手段（Ｓ１２）、
ジョブが使用する用紙の一つを選択する手段（Ｓ１３）、
全ての給紙段に設定されている用紙の情報を表示する手段（Ｓ１６）、
給紙段の一つを選択する手段（Ｓ１７）、
選択された給紙段が持つ給紙段ＩＤ、用紙のサイズ、メディアタイプを選択された用紙と紐付けて記憶する手段（Ｓ２０）、
元の用紙に替えて、記憶した給紙段、用紙サイズ、メディアタイプを基に給紙し印刷する手段（Ｓ３６）
を持つことを特徴とする。
【発明の効果】
【０００９】
溜め置いたジョブが使用する用紙を未登録の用紙に代替する際の、操作性を高めた機能を提供できる。
【図面の簡単な説明】
【００１０】
【図１】本発明の一実施形態としてのシステム構成図。
【図２】本発明のコントローラ内部構成図。
【図３】用紙情報表示用のＵＩパネル表示の一例
【図４】代替用紙選択用のＵＩパネル表示の一例
【図５】保存されているジョブのデータの構造図の一例
【図６】代替用紙を設定する処理のフローチャート
【図７】印刷処理のフローチャート
【発明を実施するための形態】
【００１１】
以下、本発明を実施するための最良の形態について図面を用いて説明する。
【実施例１】
【００１２】
本発明に係る印刷装置の一実施形態を説明する。
【００１３】
図１は第１の発明の実施例を含むシステムを示す概略図である。
【００１４】
図１において、１はネットワーク、１０００は印刷装置、２０００、３０００、４０００はホストコンピュータであり、これらから送られたジョブはネットワーク１を経由して印刷装置１０００に送られる。
【００１５】
図２は本発明における、印刷装置１０００に内蔵されるコントローラの内部構成およびその周辺構成を示す概略図である。
【００１６】
図２において、１００はコントローラ、１１０はジョブ制御部、１２０はＵＩ制御部、１３０はプリンタ制御部、１４０は外部インタフェースでネットワーク１と接続される。
【００１７】
１５０は画像処理部、３００は文書管理、３１０は文書管理３００に保存されたジョブ、３１１はジョブ３１０のジョブＩＤ、３１２はジョブ３１０の印刷データ及び属性データ３１３はジョブ３１０で使用する用紙をどの用紙で代替するかの情報である。
【００１８】
１２０、１３０、１４０、１５０、３００はジョブ制御部１１０と接続されている。
【００１９】
２００はユーザインタフェースパネルでありＵＩ制御部１２０を介してコントローラと接続されている。
【００２０】
またＵＩ制御部１２０は文書管理３００と接続されており、文書管理３００内のジョブ３１０の一部の属性を編集できる。
【００２１】
図３は本発明における、ユーザインタフェースパネル２００上に表示された、ジョブが使用する用紙リスト画面２１０の例である。
【００２２】
図３において、２１１、２１２、２１３はジョブが使用している用紙それぞれの情報、２１４はどの用紙に代替するかの情報、２１５は用紙を代替するための画面遷移ボタン、２１６は代替設定を破棄し戻すためのボタンである。
【００２３】
図４は本発明における、ユーザインタフェースパネル２００上に表示された、用紙代替画面２２０の例である。
【００２４】
図３の画面遷移ボタン２１５を押すことでこの画面が表示される。いま印刷装置１０００の給紙段にある用紙の情報を表示し、どの給紙段の用紙で代替するかを設定できる。
【００２５】
図５はジョブ３１０の内部構造を示す図である。
【００２６】
図５において、３１５はジョブ３１０の代替設定３１３からリンクされている使用用紙リストであり、給紙する予定の用紙のサイズ、メディアタイプ、給紙段といった情報をそれぞれ持つ。
【００２７】
３１６はジョブ３１０の代替用設定３１３からリンクされている代替用紙リストであり、代替する用紙のサイズ、メディアタイプ、給紙段の情報をそれぞれ持つ。
【００２８】
この図においては、Ａ４の厚紙を給紙段１から、Ａ４の光沢紙を自動給紙段で、Ａ４の厚紙を給紙段２から給紙するよう設定されているジョブに対し、Ａ４光沢紙の自動給紙段の用紙の代わりにＡ４の再生紙を給紙段７から給紙する設定であることを示している。
【００２９】
図６は本発明における、印刷装置１０００のコントローラ１００のＵＩ制御部１２０の用紙代替の設定処理のフローチャートである。
【００３０】
図１、図２、図３、図４および図５を参考に、図６のフローチャートに従って、ＵＩ制御部１２０の用紙代替処理を説明する。
【００３１】
文書管理３００内にジョブ３１０が保存されている状態で、ＵＩパネル２００がジョブの代替処理画面２１０への移行イベントを受けると、ＵＩ制御部１２０は文書管理３００に対し、ジョブ３１０が使用する予定の用紙情報を洗い出すよう指示する。（Ｓ１１）、その結果をＵＩパネル２００に表示する（Ｓ１２）。ＵＩ制御部１２０はユーザからの指示を待つ（Ｓ１３）。指示が終了ではなく（Ｓ１４）、用紙のいずれかが選択された状態で、かつ用紙代替指示ボタン２１５が押されたことをＵＩ制御部１２０が検知したら（Ｓ１５）、用紙代替画面２２０に遷移する。用紙代替画面では給紙段一覧と各給紙段に設定されている用紙の情報を表示する（Ｓ１６）。ＵＩ制御部はユーザによる給紙段の選択を待ち（Ｓ１７）、選択された給紙段に設定されている用紙の詳細な情報を表示する（Ｓ１８）。
【００３２】
ＯＫボタン２２１が押されたことを検知すると（Ｓ１９）指示された給紙段のＩＤ，その給紙段に今設定されている用紙サイズ、メディアタイプを元の用紙情報とともに一時的に記憶する（Ｓ２０）。キャンセルボタンが押されたことを検知した場合は（Ｓ２１）何もしない。いずれの場合も画面を２１０に戻しＳ１２へ戻る。Ｓ２１で他の給紙段が選択された場合には、その給紙段に設定されている用紙の詳細情報を表示し、ＯＫボタン２２１かキャンセルボタン２２２が押されるまで処理を繰り返す。
【００３３】
Ｓ１５で元用紙に戻すボタン２１６が押された場合には（Ｓ２２）、選択されている用紙の代替設定の一時記憶を破棄し（Ｓ２３）、Ｓ１２へ戻る。他の用紙が選択された場合にはＳ１３へ戻る。ＯＫボタン２１７が押されたことを検知した場合には（Ｓ２４）、一時記憶した全ての代替設定を文書管理３００経由で、図５に示すような形式でジョブに書き込む（Ｓ２５）。キャンセルボタン２１８が押された場合には、何も書き込まず処理を終了する。
【００３４】
図７は本発明における、印刷装置１０００のコントローラ１００のジョブ制御部１１０の印刷処理のフローチャートである。
【００３５】
図２および図５を参考に、図７のフローチャートに従って、ジョブ制御部１１０の印刷処理を説明する。
【００３６】
ジョブ制御部１１０は、印刷指示をＵＩ制御部１２０から受け取ると、印刷処理を開始する。まず文書管理３００経由でジョブの代替設定を読み出し記憶する（Ｓ３１）。
【００３７】
ジョブデータを先頭ページから順に読み出し（Ｓ３３）、記憶した代替設定の使用用紙リスト３１４全ての給紙段ＩＤ、用紙サイズ、メディアタイプと読み出したページの給紙段ＩＤ、用紙サイズ、メディアタイプとを比較する（Ｓ３４）。３項目とも一致するものがあれば（Ｓ３５）、代替用紙リスト３１５上の対応する代替設定を使用して、給紙するようプリンタ制御部に指示を出す（Ｓ３６）。一致するものがあっても対応する代替設定がない、もしくは一致するものがなければ、元々そのページが持つ属性情報で給紙するよう、プリンタ制御部１３０に指示を出す（Ｓ３７）。いずれの場合も該当する用紙がなければ（Ｓ３８）、ＵＩ制御部１２０経由でＵＩパネル２００に用紙交換要求を表示し、用紙が準備されたことをプリンタ制御部１３０が検知するのを待つ（Ｓ３９）。用紙が準備されたらその用紙を給紙し印刷するようプリンタ制御部に指示を出す（Ｓ４０）。次のページに対しても同じ処理を繰り返す（Ｓ４１）。全ページの処理が終了すれば印刷処理を終了する。
【００３８】
以上の手順からわかるように、単純に今給紙段に設定されている用紙を用いて代替するのであれば、用紙代替の画面から給紙段を選択する、といった手間で済み、ユーザにとっても直感的な作業であることがわかる。
【００３９】
さらに、代替設定が行なわれた後に、給紙段の設定が変更された場合でも、給紙時には代替設定時の給紙段、用紙サイズ、メディアタイプでの給紙要求が発生する。これによってつい他のジョブのために給紙段に設定した用紙をうっかり給紙してしまうことは避けられる。すなわちデータベースへの用紙登録による代替用紙設定と同じ効果が得られることがわかる。
【００４０】
［その他の実施例］
給紙の属性情報として、給紙段、用紙サイズ、メディアの３属性を用いて説明したが、例えば、用紙の色、坪量、名称、用紙の向き、裏表といった属性でもよい。３属性に限らず多くの属性を用いてもよい。
【図１】
2011098516.tif 000003
【図２】
2011098516.tif 000004
【図３】
2011098516.tif 000005
【図４】
2011098516.tif 000006
【図５】
2011098516.tif 000007
【図６】
2011098516.tif 000008
【図７】
2011098516.tif 000009